(57)【要約】      （修正有）【課題】動物由来または魚由来の水溶性エラスチンを適量添加した飲料水から不純物および臭気を除去する行程により精製して容器に充填したエラスチン含有飲料水を提供する。【解決手段】動物由来または魚由来の水溶性エラスチンを適量添加した飲料水を活性炭フィルター３及びマイクロフィルター４に通して不純物および臭気を除去してエラスチン含有飲料水を容器に充填する。【選択図】図１
0003213933.tif 000002
【実用新案登録請求の範囲】
【請求項１】
動物由来または魚由来の水溶性エラスチンを適量添加した飲料水から不純物および臭気を除去する工程により精製されるエラスチン含有飲料水。
【請求項２】
動物由来または魚由来の水溶性エラスチンを適量添加した飲料水を活性炭フィルターまたはマイクロフィルターに通すことを特徴とするエラスチン含有飲料水の精製方法。
【請求項３】
上記請求項２の工程において、動物由来または魚由来の水溶性エラスチンを適量添加した飲料水を活性炭フィルター及びマイクロフィルターに通す前後に、加熱殺菌または非加熱殺菌（紫外線殺菌、オゾン殺菌）で殺菌処理することを特徴とするエラスチン含有飲料水の精製方法。
【考案の詳細な説明】
【技術分野】
【０００１】本考案は、飲料水に動物由来または魚由来の水溶性エラスチンを適量添加し、精製したエラスチン含有飲料水およびその精製方法に関するものである。
【背景技術】
【０００２】従来、栄養素は日常の食生活から摂取するものであるが、摂取困難な栄養素については錠剤、顆粒、粉の形状の栄養補助食品および栄養ドリンクで補う方法が広く知られている。
栄養補助食品は飲料水とともに摂取するか、飲料水に溶かして摂取するもので、栄養ドリンクはそのまま飲んで栄養素を摂取するものである。
また、水の精製技術については、河川水・池水・海水等を様々な浄水技術で真水に精製する技術、水道水を簡易浄水装置で精製する技術も広く用いられている
【考案の概要】
【考案が解決しようとする課題】
【０００３】水分補給およびお茶、コーヒー、炊飯に使用することを目的としたエラスチン含有飲料水およびその精製方法を提供するものである。【０００４】栄養素エラスチンを水に含有させると、不純物とわずかな臭気が発生する。
本考案は、飲料水に動物由来または魚由来の水溶性エラスチンを適量添加し、精製したエラスチン含有飲料水およびその精製法を提供するものである。
【課題を解決するための手段】
【０００５】エラスチンは１５０度で加熱しても、栄養成分に変化はなく、孔径が０．２μｍのマイクロフィルターも透過する性質を持つことから、その特性を活かしたエラスチン含有飲料水の精製方法は下記の通りである。
動物由来または魚由来の水溶性エラスチンを適量添加した飲料水を加熱殺菌装置で殺菌処理し、ポンプにて活性炭フィルター部へ送り臭気と不純物を除去する。
次に孔径１．０μｍ〜０．２μｍのマイクロフィルター部を通過させて残存不純物を除去して高純度のエラスチン含有飲料水を得る。【０００６】  非加熱殺菌装置を用いる場合は、動物由来または魚由来の水溶性エラスチンを適量添加した飲料水をポンプにて活性炭フィルター部へ送り、臭気と不純物を除去する。
次に孔径１．０μｍ〜０．２μｍのマイクロフィルター部を通過させた後、非加熱殺菌装置（紫外線殺菌・オゾン殺菌）で殺菌処理して高純度のエラスチン含有飲料水を得る。
【考案の効果】
【０００７】本考案に係るエラスチン含有飲料水の精製方法で、エラスチンの栄養成分を保持したまま殺菌及び不純物の除去、さらに臭気を除去することが可能である。【０００８】従来、エラスチンは健康補助食品の原料として錠剤や顆粒に加工されているが、本考案により精製したエラスチン含有飲料水は水分補給と栄養素補給を兼ねた飲料水として、またエラスチンは１５０度で加熱しても栄養成分は破壊されないため、コーヒーやお茶に使用することで簡単に栄養素を補給することが出来る。
【図面の簡単な説明】
【０００９】
【図１】図１は本考案のエラスチン含有飲料水の加熱殺菌処理による精製方法の構成を示す説明図である。
【図２】図２は本考案のエラスチン含有飲料水の非加熱殺菌処理による精製方法の構成を示す説明図である。
【考案を実施するための形態】
【００１０】図中、１は動物由来または魚由来の水溶性エラスチンを適量添加した飲料水を殺菌する過熱殺菌タンク、２はポンプ、３は活性炭フィルター部、４はマイクロフィルター部、５は動物由来または魚由来の水溶性エラスチンを適量添加した飲料水の貯蔵タンク、６は非加熱殺菌装置（紫外線殺菌・オゾン殺菌）である。
【００１１】図１を参照して、本考案のエラスチン含有飲料水の加熱殺菌処理による精製方法及び装置を説明する。
加熱殺菌タンク１に貯蔵された動物由来または魚由来の水溶性エラスチンを適量添加した飲料水は、加熱殺菌後ポンプ２により、活性炭フィルター部３に送られて、不純物および臭気が吸着除去され、次いでマイクロフィルター部４に送られて、残存不純物が除去される。
【００１２】次に図２を参照して、本考案のエラスチン含有飲料水の非加熱殺菌処理による精製方法及び装置を説明する。
貯蔵タンク５貯蔵された動物由来または魚由来の水溶性エラスチンを適量添加した飲料水は、ポンプ２により、活性炭フィルター部３に送られて、不純物および臭気が吸着除去され、次いでマイクロフィルター部４に送られて、残存不純物を除去、次に非加熱殺菌装置（紫外線殺菌・オゾン殺菌）６で殺菌処理される。
【符号の説明】
【００１３】１  動物由来または魚由来の水溶性エラスチンを適量添加した飲料水を殺菌する過熱殺菌タンク
２  ポンプ
３  活性炭フィルター部
４  マイクロフィルター部
５  動物由来または魚由来の水溶性エラスチンを適量添加した飲料水の貯蔵タンク
６  非加熱殺菌装置（紫外線殺菌・オゾン殺菌）
【図１】
0003213933.tif 000003
【図２】
0003213933.tif 000004
【手続補正書】
【提出日】平成29年8月29日(2017.8.29)
【手続補正１】
【補正対象書類名】明細書
【補正対象項目名】全文
【補正方法】変更
【補正の内容】
【考案の詳細な説明】
【技術分野】
【０００１】本考案は、飲料水に動物由来または魚由来の水溶性エラスチンを適量添加し、精製したのちに容器に充填したエラスチン含有飲料水に関するものである。
【背景技術】
【０００２】従来、水溶性エラスチンは皮膚の再生医療や栄養補助食品の成分に使用されている。水溶性エラスチンを成分とした絵栄養補助食品は、錠剤、顆粒状に加工する方法、または液状の栄養ドリンクに加工する方法が広く知られている。
【考案の概要】
【考案が解決しようとする課題】
【０００３】飲料水の美味しさ水分補給およびお茶、コーヒー、炊飯に使用しても栄養素を補給することが可能なエラスチン含有飲料水を提供するものである。【０００４】無味無臭の飲料水に水溶性エラスチンを適量添加すると、不純物とわずかな臭気が発生するためにそれを精製する必要がある。
【課題を解決するための手段】
【０００５】水溶性エラスチンは１５０度で加熱しても、栄養素としての有効性に変化はなく、また孔径が０．２μｍのマイクロフィルターも透過する性質を持つことから、下記の方法で精製して容器に充填する。【０００６】動物由来または魚由来の水溶性エラスチンを適量添加した飲料水を加熱殺菌装置で殺菌処理し、ポンプにて活性炭フィルター部へ送り臭気と不純物を除去する。次に孔径１．０μｍ〜０．２μｍのマイクロフィルター部を通過させて残存不純物を除去して得られるエラスチン含有飲料水を容器に充填する。【０００７】非加熱殺菌装置を用いる場合は、動物由来または魚由来の水溶性エラスチンを適量添加した飲料水をポンプにて活性炭フィルター部へ送り、臭気と不純物を除去する。次に孔径１．０μｍ〜０．２μｍのマイクロフィルター部を通過させた後、非加熱殺菌装置（紫外線殺菌・オゾン殺菌）で殺菌処理してエ得られるラスチン含有飲料水を容器に充填する。
【考案の効果】
【０００８】本考案に係るエラスチン含有飲料水は［０００６］［０００７］の精製方法で、飲料水の美味しさとエラスチンの栄養成分を保持したまま殺菌及び不純物の除去、さらに臭気を除去することで、無味無臭のエラスチン含有飲料水を得る。【０００９】従来、エラスチンは健康補助食品の原料として錠剤や顆粒に加工されているが、本考案により精製したエラスチン含有飲料水は水分補給と栄養素補給を兼ねた飲料水として、またエラスチンは１５０度で加熱しても栄養成分は破壊されないため、コーヒーやお茶に使用することで簡単に栄養素を補給することが出来る。
【図面の簡単な説明】
【００１０】
【図１】図１は加熱殺菌処理を用いて精製して得る本考案のエラスチン含有飲料水の説明図である。
【図２】図２は非加熱殺菌処理を用いて精製して得る本考案のエラスチン含有飲料水の説明図である。
【考案を実施するための形態】
【００１１】図中、１は動物由来または魚由来の水溶性エラスチンを適量添加した飲料水を殺菌する過熱殺菌タンク、２はポンプ、３は活性炭フィルター部、４はマイクロフィルター部、５は動物由来または魚由来の水溶性エラスチンを適量添加した飲料水の貯蔵タンク、６は非加熱殺菌装置（紫外線殺菌・オゾン殺菌）である。
【００１２】図１を参照して、本考案のエラスチン含有飲料水の加熱殺菌処理による精製方法を説明する。加熱殺菌タンク１に貯蔵された動物由来または魚由来の水溶性エラスチンを適量添加した飲料水は、加熱殺菌後ポンプ２により、活性炭フィルター部３に送られて、不純物および臭気が吸着除去され、次いでマイクロフィルター部４に送られて、残存不純物が除去され、精製されたエラスチン含有飲料水を容器に充填する。
【００１３】次に図２を参照して、本考案のエラスチン含有飲料水の非加熱殺菌処理による精製方法を説明する。貯蔵タンク５貯蔵された動物由来または魚由来の水溶性エラスチンを適量添加した飲料水は、ポンプ２により、活性炭フィルター部３に送られて、不純物および臭気が吸着除去され、次いでマイクロフィルター部４に送られて、残存不純物を除去、次に非加熱殺菌装置（紫外線殺菌・オゾン殺菌）６で殺菌処理されたエラスチン含有飲料水を容器に充填する。
【符号の説明】
【００１４】１  動物由来または魚由来の水溶性エラスチンを適量添加した飲料水を殺菌する過熱殺菌タンク２  ポンプ３  活性炭フィルター部４  マイクロフィルター部５  動物由来または魚由来の水溶性エラスチンを適量添加した飲料水の貯蔵タンク６  非加熱殺菌装置（紫外線殺菌・オゾン殺菌）
【手続補正２】
【補正対象書類名】実用新案登録請求の範囲
【補正対象項目名】全文
【補正方法】変更
【補正の内容】
【実用新案登録請求の範囲】
【請求項１】
動物由来または魚由来の水溶性エラスチンを適量添加した飲料水を不純物および臭気を除去する工程により精製して容器に充填したエラスチン含有飲料水。